(57)【要約】      （修正有）【課題】大型化を招くことのない嵌合ごとに安定した慣性力が作用する慣性ロック機構【解決手段】ベースハウジングと傾斜姿勢で嵌合するソケットハウジング２００からなるコネクタ構造１で側壁１３０に陥没するロック溝部と凹状の被係止部と側壁１３０上面に楯状のベースリブを備えソケットハウジング２００はロック溝部に対応するロック突部と被係止部に対応する凸状の係止部を備えソケットハウジング２００の前壁前端から係止部後面迄の距離Ｘ、ベースハウジングの前壁１２０後端からベースリブ前面迄の距離Ｙ、Ｑ＝Ｘ−Ｙとしソケットハウジング２００が傾斜姿勢でベースハウジングに嵌合過程でロック突部はロック溝部に挿入し係止部がベースリブに干渉状態の時ソケットハウジング２００の前壁底面がベースハウジングの前壁１２０上面に重なり合う状態にあり摺接移動で重なり合う状態が解消し嵌合終了姿勢に至り重なり合う距離がＱに規制される。【選択図】図１
2018073664.tif 000002
【特許請求の範囲】
【請求項１】
底壁、前壁、左右側壁により上方に開口する収容部を形成するベースハウジングと、
前記収容部に上方から後方に電線がつながる前方上位の傾斜姿勢で嵌合する前端に前壁、左右端に左右側壁を有する上壁を備えた箱状のソケットハウジングと、からなるコネクタ構造であって、
前記ベースハウジングは前記側壁後方に内側から陥没する前壁と後壁を有するロック溝部と、前記側壁前方内側に前後方向に延びる凹状の被係止部と、前記側壁上面の前方よりの位置に上面と前面がＣ面或は曲面で結ばれる前後方向に延びる楯状のベースリブを備え、前記ロック溝部は下端から後方へ延びる上面を有するロック鉤部を備え、
前記ソケットハウジングは前記側面後方に前記ロック溝部に対応する位置に外方向に膨出するロック突部と、前記側面前方に前記被係止部に対応する位置に前後方向に延びるテーパー状の後面とテーパー状の下面を有する凸状の係止部を備え、
前記ソケットハウジングの前壁前端から前記ロック突部の後端までの距離Ａと、前記ベースハウジングの前壁後端から前記ロック溝部の後壁までの距離Ｂとの関係はＡ＞Ｂであり、
前記ソケットハウジングの前壁前端から前記係止部後面までの距離Ｘと、前記ベースハウジングの前記前壁後端から前記ベースリブ前面までの距離Ｙとの関係はＸ＞Ｙであり、
Ｐ＝Ａ−Ｂ、Ｑ＝Ｘ−Ｙとすれば、Ｑ≧Ｐであって、
前記ソケットハウジングが前方上位の傾斜姿勢で前記ベースハウジングに嵌合過程で前記ロック突部は前記ロック溝部に挿入され、前記係止部が前記ベースリブに干渉する状態のとき前記ソケットハウジングの前壁底面が前記ベースハウジングの前壁上面に重なり合う状態にあり下降動作が中断され、前記ソケットハウジングの後方への摺接移動により前記重なり合う状態が解消されて前記下降動作が再開し嵌合終了姿勢に至り、前記重なり合う状態の重なり合う距離が前記距離Ｑに規制されるところに特徴を有するコネクタ構造。
【請求項２】
前記係止部と前記ベースリブとの干渉状態は前記係止部の後面と前記ベースリブの前記前面との当接により生じるところに特徴を有する請求項１記載のコネクタ構造。
【請求項３】
請求項２記載の前記係止部の後面は傾斜角度０〜６０度の範囲にあり、前記ベースリブの対応する面も概ね同じ傾斜角度を備えるところに特徴を有するコネクタ構造。
【請求項４】
前記ソケットハウジングの上壁は前端が前方及び左右側方へ張り出す庇部を備え、前記側方庇部は下面から垂下する前後方向に延びる楯状のソケットリブの外側面に前後方向に延びる凸状の前記係止部を備えるところに特徴を有する請求項１から３の内いずれか一項記載のコネクタ構造。
【請求項５】
前記ソケットハウジングの前記前壁底面と前記ベースハウジングの前記前壁上面との前記重なり合う状態は、左右方向に沿ってブロックが凹凸状態に配列される前記前壁同士の噛み合わせであるところに特徴を有する請求項１から４の内いずれか一項記載のコネクタ構造。
【請求項６】
前記ベースハウジングの前壁の前記ブロックは重なり合う上面、側面、及び前面の角部にテーパーが備わり、前記ソケットハウジングの前壁の前記ブロックの重なり合う下面、側面、及び前面の角部にテーパーが備わるところに特徴を有する請求項５記載のコネクタ構造。
【発明の詳細な説明】
【技術分野】
【０００１】
本発明は、回路基板に取り付くベースコネクタと電線につながるソケットコネクタとのコネクタ構造に関する。
【０００２】
この分野の技術として特許文献１記載の技術が知られている。一般的に回路基板に取り付くベースコネクタに対してソケットコネクタを嵌合させる際、慣性ロックタイプのコネクタ構造は、図９に示されるように、ソケットハウジングの側面に備わる可動式のロックアームの一部をベースハウジングの側壁縁部に対する突き当て代として利用しロック部の掛かり量、弾性力、及び突き当たり角度を調整することで望ましい突き当たり力を設計している。
【先行技術文献】
【特許文献】
【０００３】
【特許文献１】特開２００９−３７８３５号公報
【発明の概要】
【発明が解決しようとする課題】
【０００４】
ロックアームは繰り返しおこなわれる挿抜による突き当てに耐えるだけの適度な弾性力と強度が要求される。そのためにロックアーム自体の形状が大きくなり製品自体が大型化する傾向にある。特に低背化が望まれるコネクタ分野において、慣性ロック機構にロックアームを用いる方式をそのまま適用することは難しい。またこのような慣性ロック方式では挿抜操作の繰り返しによって干渉部分にヘタリや欠けが生じるおそれがあり、これによりソケットコネクタに作用する慣性力に違いが生じる場合がある。その結果嵌合するたびに掛かり量の違いによって慣性力に差異が生じることとなる。
【０００５】
本発明はこのような事情に鑑みてなされたものであって、コネクタ構造の大型化を招くことのない嵌合ごとに安定した慣性力が作用する慣性ロック機構を備えたコネクタ構造を提供することを目的とするものである。
【課題を解決するための手段】
【０００６】
本発明のコネクタ構造は（１）底壁、前壁、左右側壁により上方に開口する収容部を形成するベースハウジングと、前記収容部に上方から後方に電線がつながる前方上位の傾斜姿勢で嵌合する前端に前壁、左右端に左右側壁を有する上壁を備えた箱状のソケットハウジングと、からなるコネクタ構造であって、前記ベースハウジングは前記側壁後方に内側から陥没する前壁と後壁を有するロック溝部と、前記側壁前方内側に前後方向に延びる凹状の被係止部と、前記側壁上面の前方よりの位置に上面と前面がＣ面或は曲面で結ばれる前後方向に延びる楯状のベースリブを備え、前記ロック溝部は下端から後方へ延びる上面を有するロック鉤部を備え、前記ソケットハウジングは前記側面後方に前記ロック溝部に対応する位置に外方向に膨出するロック突部と、前記側面前方に前記被係止部に対応する位置に前後方向に延びるテーパー状の後面とテーパー状の下面を有する凸状の係止部を備え、前記ソケットハウジングの前壁前端から前記ロック突部の後端までの距離Ａと、前記ベースハウジングの前壁後端から前記ロック溝部の後壁までの距離Ｂとの関係はＡ＞Ｂであり、前記ソケットハウジングの前壁前端から前記係止部後面までの距離Ｘと、前記ベースハウジングの前記前壁後端から前記ベースリブ前面までの距離Ｙとの関係はＸ＞Ｙであり、
Ｐ＝Ａ−Ｂ、Ｑ＝Ｘ−Ｙとすれば、Ｑ≧Ｐであって、
前記ソケットハウジングが前方上位の傾斜姿勢で前記ベースハウジングに嵌合過程で前記ロック突部は前記ロック溝部に挿入され、前記係止部が前記ベースリブに干渉する状態のとき前記ソケットハウジングの前壁底面が前記ベースハウジングの前壁上面に重なり合う状態にあり下降動作が中断され、前記ソケットハウジングの後方への摺接移動により前記重なり合う状態が解消されて前記下降動作が再開し嵌合終了姿勢に至り、前記重なり合う状態の重なり合う距離が前記距離Ｑに規制されるところに特徴を有するものである。
【０００７】
この発明によれば、重なり合う状態の重なり合う距離がソケットハウジングの前壁前端から係止部後面までの距離Ｘと、ベースハウジングの前壁後端からベースリブ前面までの距離Ｙとの差Ｑ（＝Ｘ−Ｙ）で規制されるものである。また、重なり合う部分はソケットハウジングの前壁下面とベースハウジングの前壁上面であり、距離Ｑは係止部とベースリブにより規制されるものである。これにより大型化を招くことのない嵌合ごとに安定した慣性力が作用する慣性ロック機構を備えたコネクタ構造が得られる。
【０００８】
本発明のより好ましいコネクタ構造は（２）前記係止部と前記ベースリブとの干渉状態は前記係止部の後面と前記ベースリブの前記前面との当接により生じるところに特徴を有する（１）記載のものである。
【０００９】
この発明によれば、係止部の後面とベースリブの前面との当接により重なり合う状態の重なり合う距離が規制されるので、安定した重なり合う状態が得られる。
【００１０】
本発明のより好ましいコネクタ構造は（３）前記（２）記載の前記係止部の後面は傾斜角度０〜６０度の範囲にあり、前記ベースリブの対応する面も概ね同じ傾斜角度を備えるところに特徴を有するものである。
【００１１】
この発明によれば、傾斜角度が０〜６０度の範囲で当接するので、配置されるコンタクトの極数の多寡に応じて適切な慣性力を有するコネクタ構造が得られる。
【００１２】
本発明のより好ましいコネクタ構造は（４）前記ソケットハウジングの上壁は前端が前方及び左右側方へ張り出す庇部を備え、前記側方庇部は下面から垂下する前後方向に延びる楯状のソケットリブの外側面に前後方向に延びる凸状の前記係止部を備えるところに特徴を有する（１）から（３）の内いずれか一項記載のものである。
【００１３】
この発明によれば、係止部は庇部下面に垂下するソケットリブに備わる。これにより係止部はソケットリブと一体的にソケットハウジングの幅方向に撓むことができる。
【００１４】
本発明のより好ましいコネクタ構造は（５）前記ソケットハウジングの前記前壁底面と前記ベースハウジングの前記前壁上面との前記重なり合う状態は、左右方向に沿ってブロックが凹凸状態に配列される前記前壁同士の噛み合わせであるところに特徴を有する（１）から（４）の内いずれか一項記載のものである。
【００１５】
この発明によれば、前壁同士の凹凸状態に備わるブロックの噛み合わせによって重なり合うので、コネクタ構造の幅方向の位置合わせが精度よくおこなわれる。
【００１６】
本発明のより好ましいコネクタ構造は（６）前記ベースハウジングの前壁の前記ブロックは重なり合う上面、側面、及び前面の角部にテーパーが備わり、前記ソケットハウジングの前壁の前記ブロックの重なり合う下面、側面、及び前面の角部にテーパーが備わるところに特徴を有する（５）記載のものである。
【図面の簡単な説明】
【００１７】
【図１】図１は、本発明の実施形態に係るコネクタ構造の斜視図であり、（Ａ）は嵌合開始段階、（Ｂ）は嵌合終了段階である。
【図２】図２は、同コネクタ構造のコンタクトが組み付いたベースハウジングの外観斜視図であり、（Ａ）は前方斜視図、（Ｂ）は後方斜視図である。
【図３】図３は、同コネクタ構造のソケットハウジングの外観斜視図であり、（Ａ）は前方斜視図、（Ｂ）は後方斜視図、（Ｃ）は裏面の外観斜視図である。
【図４】図４は、図１の（Ａ）の丸囲い部分の拡大図である。
【図５】図５は、本発明の実施形態に係るコネクタ構造のソケットハウジングとベースハウジングとの要部の寸法比較図である。
【図６】図６は、同コネクタ構造のソケットハウジングとベースハウジングとの嵌合過程を示す図であり、（Ａ）は嵌合開始段階、（Ｂ）は嵌合途中段階、（Ｃ）は嵌合終了段階である。
【図７】図７は、同コネクタ構造のソケットハウジングとベースハウジングとの嵌合過程を示す図であり、特に図１の断面指示線ＶＩＩ−ＶＩＩの断面図であり、（Ａ）は嵌合開始段階、（Ｂ）は嵌合途中段階、（Ｃ）は嵌合終了段階である。
【図８】図８は、同コネクタ構造のソケットハウジングの前壁とベースハウジングの前壁との重なり合う状態を示す外観図である。
【図９】図９は、従来技術のロックアーム式慣性ロック機構が備わるコネクタ構造の外観図であり、（Ａ）は正面図、（Ｂ）は側面図である。
【発明を実施するための形態】
【００１８】
本実施形態に係るコネクタ構造を添付図面に基づいて説明する。本発明の技術的範囲は本実施形態によって限定的に解釈されるものではなく、本発明の要旨を逸脱しない範囲を限度として合理的に解釈されるものである。すなわち構成要素の材料、特性、大きさ、形状及び備わる個数等はその範囲内で種々の態様を取りうるものとして技術的範囲は解釈されるものである。
【００１９】
図１は、本発明の実施形態に係るコネクタ構造の斜視図であり、（Ａ）は嵌合開始段階、（Ｂ）は嵌合終了段階である。図２は、同コネクタ構造のコンタクトが組み付いたベースハウジングの外観斜視図であり、（Ａ）は前方斜視図、（Ｂ）は後方斜視図である。図３は、同コネクタ構造のソケットハウジングの外観斜視図であり、（Ａ）は前方斜視図、（Ｂ）は後方斜視図、（Ｃ）は裏面の外観斜視図である。図４は、図１の（Ａ）の丸囲い部分の拡大図である。なお、説明中の方向指示は原則図面の方向定義に従う。
【００２０】
本発明の実施形態に係るコネクタ構造１は、図１に示されるように、図示しない回路基板に組み付くベースコネクタ１０と、電線Ｗの先端につながるソケットコネクタ２０とからなる。ソケットコネクタ２０は前方上位の傾斜姿勢で後方からベースコネクタ１０に挿入され、嵌合過程で前方が降下して傾斜姿勢が漸次水平姿勢に変化する。嵌合終了姿勢ではソケットコネクタ２０は水平姿勢でベースコネクタ１０に収容される。これにより小型、低背型基板実装タイプのコネクタ構造１が得られる。
【００２１】
＜ベースコネクタ＞
ベースコネクタ１０は、図２に示されるように、箱状の非導電性のベースハウジング１００の前方に打ち抜き成形による板状金属のベースコンタクト１８０をピッチ方向に複数個配列する。ベースコンタクト１８０の極数は目的に応じて自在に設計されるものであって、一列等ピッチ配列の他たとえば２段配列仕様であってもよい。
【００２２】
ベースハウジング１００は射出成形マシーンにより連続形成される非導電性の合成樹脂製品である。一般的に熱硬化性樹脂材が使用される。
ベースハウジング１００は、図２に示されるように、矩形状の底壁１１０と、底壁１１
０の四辺に沿って前壁１２０、左右側壁１３０、１３０及び後壁１４０を備えて中央に窪地状の収容部１５０を形成する。
【００２３】
後壁１４０は、図１、２に示されるように、ソケットコネクタ２０に備わる電線Ｗの外形に倣う逆円弧状の凹部がピッチ方向に沿って電線Ｗの個数だけ形成されている。これにより、嵌合終了姿勢において電線Ｗを上下及び左右方向から規制し幅方向に沿って等間隔で保持する。
【００２４】
前壁１２０は、図１、２に示されるように、ベースコンタクト１８０を保持するための図示しないスリットがピッチ方向に沿ってベースコンタクト１８０の個数に応じて形成されている。ベースコンタクト１８０は図示しないスリットに図示しない保持部が圧入されて幅方向に沿って等間隔に整列配置されている。前壁１２０下面からベースコンタクト１８０の接続部が前方に延出し、図示しない相手側コンタクトに接続する接触部１８５が前壁１２０後面から収容室１５０に向けて後方に延出する。接触部１８５は概ね方形状の打ち抜き金属板である。
【００２５】
前壁１２０は、図２に示されるように、上面がピッチ方向に沿って規則的に凸凹部１２１、１２２が形成されている。凹部１２２の底面同士あるいは凸部１２１の上面同士は略同じ高さに形成されている。凹凸部１２１、１２２の形成周期はピッチ方向に並ぶベースコンタクト１８０の配置に対応する。
【００２６】
側壁１３０は、図２に示されるように、内面の後方にロック溝部１３１が形成され、ロック溝部１３１の前方に被係止部１３３が形成されている。また側壁上面は前方に比べて後方が一段高位置にあり、ロック溝部１３１は高位置側に形成され、被係止部１３３は低位置側に形成されている。
【００２７】
ロック溝部１３１は、図２に示されるように、側壁１３０の内面に埋没状に形成されており側壁１３０上面の開口部から底壁１１０上面の位置まで貫通し底面で向きを後方へ変えてロック鉤部１３２を形成する。ロック鉤部１３２には上面が備わる。嵌合終了姿勢にあるロック突部２３１はロック鉤部１３２で動きが規制される。特にロック鉤部１３２の上面によって上方への抜出しが抑制される。
【００２８】
被係止部１３３は、図２に示されるように、側壁１３０内面に前後方向に延びる段差の低段側に形成されている。対応する係止部２５３が高段側から低段側へ乗り移ることで嵌合終了姿勢にあるコネクタ構造１の動きが規制される。
【００２９】
側壁１３０上面の高位置側と低位置側の段差部には、図２に示されるように、楯状のベースリブ１３５が形成されている。ベースリブ１３５は高位置側の前面が前方に幅を狭めて延出する壁である。ベースリブ１３５の上面１３５１は高位置側の上面と略面一状につらなる。ベースリブ１３５の前面１３５０は略垂直状に備わる。
ベースリブ１３５はコネクタ構造１の嵌合過程でソケットコネクタ２０の嵌合動作を一時規制するための主要要素である。
【００３０】
側壁１３０の高位置側の上面及び低位置側の上面は、図２に示されるように、概ね平坦状である。
【００３１】
ベースリブ１３５は、図２、４に示されるように、上面１３５１と前面１３５０の交差部は曲面で結ばれている。たとえば交差部はＣ面であってもよい。前面１３５０は内側角部にテーパー面が形成されている。テーパー面はコネクタ構造１の嵌合過程でソケットハウジング２００との干渉作用を制御するものである。
【００３２】
＜ソケットコネクタ＞
ソケットコネクタ２０は、図１、３に示されるように、箱状のソケットハウジング２００の前方に図示しないベースコンタクトに接続するソケットコンタクト２８０の接触部をピッチ方向に沿って複数個配列する。電線Ｗはソケットハウジング２００の後方からピッチ方向に沿って等間隔で排出される。
【００３３】
ソケットハウジング２００は射出成形マシーンにより連続形成される非導電性の合成樹脂製品である。一般的に熱硬化性樹脂材が使用される。
ソケットハウジング２００は、図３に示されるように、方形状の上壁２１０と、上壁２１０の下面には前方に前壁２２０、左右には側壁２３０、２３０、及び後方にはソケットコンタクト２８０の図示しない電線接続部を収容する収容部２４０が形成されている。また上壁２１０は前方及び左右方向に延びる庇部２５０を備える。
【００３４】
収容部２４０は、図３に示されるように、立て壁で仕切られた複数の部屋がピッチ方向に等間隔で配置されている。各部屋にはひとつのソケットコンタクト２８０が電線Ｗに接続された状態で固定されている。
【００３５】
前壁２２０は、図３、４に示されるように、下面がピッチ方向に沿って規則的に凸凹部２２１、２２２が形成されている。ピッチ方向に並ぶ凹部２２２の底面同士あるいは凸部２２１の上面同士は略同じ高さに形成されている。ソケットハウジング２００の前壁２２０下面に備わる凹凸部２２１、２２２はベースハウジング１００の前壁１２０上面に備わる凹凸部１２１、１２２に嵌合姿勢で噛み合う状態で対応する位置にある。
【００３６】
側壁２３０は、図３、４に示されるように、後端下よりに外方向に膨出するロック突部２３１を備える。ロック突部２３１は円柱状に限るものではなく、たとえば断面矩形状、あるいは多角形状であってもよい。
【００３７】
側壁２３０の外側には、図３、４に示されるように、庇部２５０の下面に形成されるソケットリブ２５１が側壁２３０と略平行姿勢で備わる。
ソケットリブ２５１は、図４に示されるように、上面の基部が庇部下面に接続する前後方向及び上下方向に延びる楯状板である。ソケットリブ２５１は片持ち梁状で上面の基部を支点にして全体が左右方向へ弾性変形可能である。またソケットリブ２５１が形成される庇部２５０もソケットハウジング２００の上壁２１０縁部より外へ張り出すものなので庇部２５０自体も多少の弾性的変形能を有するものである。
【００３８】
ソケットリブ２５１の外面には前後方向へ延びる凸状の係止部２５３が備わる。
係止部２５３は、図４に示されるように、後面２５３１及び下面２５３０にテーパー面が形成されている。特に後面２５３１のテーパー面はベースハウジング１００のベースリブ１３５前面１３５０のテーパー面に対応するものである。テーパー面同士の会合でコネクタ構造の嵌合過程が先に進むことになる。
【００３９】
＜嵌合過程＞
嵌合過程の説明を図面に基づいておこなう。図５は、本発明の実施形態に係るコネクタ構造のソケットハウジングとベースハウジングとの要部の寸法比較図である。図６は、同コネクタ構造のソケットハウジングとベースハウジングとの嵌合過程を示す図であり、（Ａ）は嵌合開始段階、（Ｂ）は嵌合途中段階、（Ｃ）は嵌合終了段階である。図７は、同コネクタ構造のソケットハウジングとベースハウジングとの嵌合過程を示す図であり、特に図１の断面指示線ＶＩＩ−ＶＩＩの断面図であり、（Ａ）は嵌合開始段階、（Ｂ）は嵌合途中段階、（Ｃ）は嵌合終了段階である。図８は、同コネクタ構造のソケットハウジン
グの前壁とベースハウジングの前壁との重なり合う状態を示す外観図である。
【００４０】
ソケットハウジング２００とベースハウジング１００との嵌合過程における主要部の寸法関係は、図５に示される関係にある。
【００４１】
ソケットハウジング２００の水平姿勢で前壁２２０前面からロック突部２３１の後縁までの距離Ａ、同じく前壁２２０前面から係止部２５３の後面までの距離Ｘと、ベースハウジング１００の水平姿勢で前壁１２０後面からロック溝部１３１後面までの距離Ｂ、同じく前壁１２０後面からベースリブ１３５の前面１３５０までの距離Ｙは次の関係にある。
【００４２】
Ｐ＝Ａ−Ｂ、Ｑ＝Ｘ−Ｙとすると、Ｑ≧Ｐ
Ｐ´＝ＡＣＯＳθ−Ｂ、Ｑ´＝ＸＣＯＳθ−Ｙ、ここでθはソケットハウジング２００のベースハウジング１００に対する傾斜角度とすると、Ｑ´は概ねソケットハウジング２００とベースハウジング１００との前壁同士２２０、１２０の重なり合う距離である。
【００４３】
ソケットハウジング２００の距離Ａとベースハウジング１００の距離Ｂとの関係はＡ＞Ｂなので、ソケットハウジング２００は水平姿勢ではベースハウジング１００に挿入できない。よってソケットハウジング２００は前方上位の傾斜姿勢でベースハウジング１００に嵌合開始されることとなる。
【００４４】
ソケットハウジング２００を把持して、図５に示されるような水平姿勢あるいはやや前方上位の傾斜姿勢でソケットハウジング２００をベースハウジング１００の収容部１５０へ誘導する。このときロック突部２３１の下端はロック溝部１３１の間口へ挿入される。間口には誘いのテーパー面が形成されている。
【００４５】
ソケットハウジング２００の上壁２１０中央付近あるいは庇部２５０あたりを下方へ押すことでソケットハウジング２００は前方上位の傾斜角度を強めるようにして嵌合過程が先に進む。このときロック溝部１３１の案内に沿ってロック突部２３１は下方へ進み、図６の（Ａ）あるいは図７の（Ａ）に示されるように、底面がベースハウジング１００の底壁１１０に接する位置に至る。
【００４６】
このときソケットハウジング２００の前方は前壁２２０がベースハウジング１００の前壁１２０に乗り上げた状態すなわち重なり合う状態になる。ソケットハウジング２００の前壁２２０とベースハウジング１００の前壁１２０との重なり合う距離は傾斜角度をθｒａｄとすると、概ねＱ´（＝ＸＣＯＳθ−Ｙ）である。なおθはそれほど大きな値ではない場合はＱ´≒Ｑなので、本明細書及び特許請求の範囲で重なり合う距離をＱと言う場合が有る。
【００４７】
ロック突部２３１がロック溝部１３１の底面に達するとロック突部２３１はロック鉤部１３２に沿って後方へ移動可能になる。しかし傾斜角度θの傾斜姿勢でソケットハウジング２００の前方では、図４に示されるように、係止部２５３とベースハウジング１００のベースリブ１３５との干渉が生じソケットハウジング２００の後方への移動が抑制されている。これによりロック突部２３１の後方への移動はこの姿勢のまま留められることとなる。
【００４８】
ここで係止部２５３とベースリブ１３５との干渉はソケットハウジング２００の前壁２２０とベースハウジング１００の前壁１２０との重なり合う状態の重なり合う距離Ｑを規制するものでもある。すなわち干渉により嵌合動作が一端ここで留め置かれると同時に重なり合う距離が一定値Ｑに規制されることになる。
【００４９】
すなわち重なり合う距離が嵌合操作ごとに常に一定値Ｑに規制されるので、他の条件が一定ならば常に安定した慣性力の発生が期待しうるコネクタ構造１が得られるものである。
【００５０】
ソケットハウジング２００の係止部２５３は、図４に示されるように、傾斜角度θｒａｄの傾斜姿勢で後面２５３１がベースハウジング１００のベースリブ１３５前面１３５０に当接する。係止部２５３の後面２５３１は角度βｒａｄのテーパー面が形成され、当接するベースリブ１３５の前面１３５０にも対応するテーパー面が概ね角度（π／２−β）ｒａｄで形成されている。ここで角度βは好ましくは０よりも大きくπ／３ｒａｄ以下であり、より好ましくはπ／８以上π／４ｒａｄ以下であり、もっとも好ましくはπ／６以上π／４ｒａｄ以下である。係止部２５３の後面２５３１のテーパー角度が小さい場合は干渉による樹脂材料の損耗が発生する一方、テーパー角度が大きい場合は規制の効果が減殺される。
【００５１】
さらにソケットハウジング２００の上壁２１０中央付近あるいは庇部２５０あたりを下方へ押すことでソケットハウジング２００は傾斜角度を緩めるようにして嵌合過程が先に進む。このときロック突部２３１は、図６（Ｂ）あるいは図７（Ｂ）に示されるように、ロック鉤部１３２に沿って奥部へ移動する。
【００５２】
ロック突部２３１のロック鉤部１３２奥部への移動の過程で、係止部２５３後面２５３１のテーパー面とベースリブ１３５前面１３５０のテーパー面は互いに面同士を摺接させながら係止部２５３は弾性的変形を伴いつつ後方へ移動する。このときソケットハウジング２００を下方へ沈める力が上壁２１０に作用しているので、ソケットハウジング２００は全体的に傾斜角度を緩めつつ後方へ移動する。
【００５３】
傾斜角度が緩まる過程で係止部２５３は後面２５３１のテーパー面をベースリブ１３５の前面１３５０のテーパー面に当接させる一方、下面２５３０のテーパー面をベースハウジング１００側壁１３０内面に当接させる。さらに嵌合が進む過程で係止部２５３は後方でベースリブ１３５の内側面に潜り込む一方、下方でベースハウジング１００側壁１３０内側面に潜り込み、ソケットリブ２５１が内側へたわむ姿勢のままソケットハウジング２００全体がベースハウジング１００に対して後方へ移動する。
【００５４】
ソケットハウジング２００全体の後方への移動により、図６の（Ｂ）あるいは図７の（Ｂ）に示されるように、ソケットハウジング２００の前壁２２０とベースハウジング１００の前壁１２０との重なり合う距離が縮小していき、終には重なり合う状態が解消される限界傾斜姿勢に至る。
【００５５】
重なり合う状態が解消されるときには、図６の（Ｂ）あるいは図７の（Ｂ）に示されるように、係止部２５３はソケットリブ２５１全体を内向きに撓ませた状態でベースハウジング１００側壁１３０の内側面に潜り込むようにして被係止部１３３のやや上位の位置まで進入している。一方ロック突部２３１はロック鉤部１３２の奥部の突き当たり面のやや手前の位置まで進入している。
このとき図示されないがソケットコンタクト２８０はベースコンタクト１８０に対して嵌合（挿入）開始の位置にある。
【００５６】
ソケットハウジング２００の前壁２２０とベースハウジング１００の前壁１２０との重なり合う状態が解消されるとき、ソケットハウジング２００に作用する突き当たりに抗する下方向への力は干渉が解かれることでそのまま移動の力として作用することとなる。すなわち大きな慣性力が一気に嵌合力として作用することとなる。
【００５７】
慣性力がソケットハウジング２００に作用するので、図６の（Ｃ）あるいは図７の（Ｃ）に示されるように、ソケットハウジング２００は一気に嵌合終了姿勢にいたることとなる。重なり合う状態を解消する力は嵌合を終了させるために要するコンタクト挿入力に比べて大きいものなので、堰が切られた状態で一気に力がコンタクト挿入に作用することにより完全に嵌合終了姿勢に至るコネクタ構造１が得られることとなる。
嵌合終了姿勢で係止部２５３は被係止部１３３に係止する。ロック突部２３１はロック鉤部１３２の奥部に位置する。これによりソケットコネクタ２０はベースコネクタ１０に対して抜出しが抑制された状態になる。
【００５８】
極数が多くなり前後方向に比してピッチ方向距離が大きくなると傾きや捩れなどの変形によりスムーズな嵌合を阻害する要因が生じる場合がある。このような嵌合阻害要因は半嵌合状態を生じる原因にもなりかねない。
【００５９】
ソケットハウジング２００の前壁２２０上面の凸部２２１は、図８に示されるように、左右側面にテーパー面を備える。またベースハウジング１００の前壁１２０上面の凸部１２１は同様に左右側面にテーパー面を備える。ソケットハウジング２００前壁２２０凹凸部２２１、２２２は、嵌合姿勢でベースハウジング１００の前壁１２０凹凸部１２１、１２２に互いに噛み合うように対応位置に配置されている。
【００６０】
これにより、嵌合過程でピッチ方向の位置が修整されるので、嵌合終了姿勢にあるベースコンタクト１８０とソケットコンタクト２８０との嵌合動作が滑らかにおこなわれることとなる。これにより、慣性力を利用する半嵌合抑止のコネクタ構造１がより効果的に実行されることとなる。
【００６１】
＜効果＞
本実施形態のコネクタ構造１は、ソケットハウジング２００の係止部２５３後面２５３１をベースハウジング１００のベースリブ１３５前面１３５０に当接させてソケットハウジング２００の前壁２２０とベースハウジング１００の前壁１２０との重ね合わせ状態を確保するものなので、安定した重ね合わせ距離が得られる。これにより嵌合ごとに安定した慣性力が作用する慣性ロック型のコネクタ構造１が得られる。
【００６２】
ソケットハウジング２００の係止部２５３はピッチ方向に弾性的変形可能なソケットリブ２５１に備わるので、嵌合時にハウジングの損傷の生じるおそれがないコネクタ構造１が得られる。
【００６３】
ソケットハウジング２００の係止部２５３はベースリブ１３５との当接面にテーパー面（突き当て角度）を備えるので、嵌合時に作用する挿入力が効果的に係止部２５３の備わるソケットリブ１３５に作用することとなる。これにより嵌合時にハウジングの損傷の生じるおそれがないコネクタ構造１が得られる。
【００６４】
ソケットハウジング２００前壁２２０とベースハウジング１００前壁１２０との重なり合う状態を解消する力は嵌合を終了させるために要するコンタクト挿入力に比べて大きいものなので、堰が切られた状態で一気に力がコンタクト挿入に作用することにより完全に嵌合終了姿勢に至るコネクタ構造１が得られる。
【００６５】
ソケットハウジング２００前壁２２０凹凸部２２１、２２２はベースハウジング１００の前壁１２０凹凸部１２１、１２２に互いに噛み合うように対応位置に配置されている。ソケットハウジング２００の前壁２２０上面の凸部２２１は左右側面にテーパー面を備える一方、ベースハウジング１００の前壁１２０上面の凸部１２１は同様に左右側面にテーパー面を備える。これにより、嵌合過程でピッチ方向の位置が修整されるので、嵌合終了
姿勢にあるベースコンタクト１８０とソケットコンタクト２８０との嵌合動作が滑らかなコネクタ構造１が得られる。
【００６６】
なお、本発明の技術的範囲は本実施形態のコネクタ構造に限定的に解釈されるものではない。発明の要旨を逸脱しない範囲で発明を構成する要素は合理的に解釈されうるものである。特に構成要素の形状、大きさ、材質、個数などは本実施形態に限定して解釈されるものではない。
【符号の説明】
【００６７】
１              コネクタ構造
１０            ベースコネクタ
１００          ベースハウジング
１１０          底壁
１２０          前壁
１２１          凸部
１２２          凹部
１３０          側壁
１３１          ロック溝部
１３２          ロック鉤部
１３３          被係止部
１３５          ベースリブ
１３５０        前面
１３５１        上面
１４０          後壁
１５０          収容部
１８０          ベースコンタクト
１８５          接触部
２０            ソケットコネクタ
２００          ソケットハウジング
２１０          上壁
２２０          前壁
２２１          凸部
２２２          凹部
２３０          側壁
２３１          ロック突部
２４０          収容部
２５０          庇部
２５１          ソケットリブ
２５３          係止部
２５３０        下面
２５３１        後面
２８０          ソケットコンタクト
Ｗ              電線
【図１】
2018073664.tif 000003
【図２】
2018073664.tif 000004
【図３】
2018073664.tif 000005
【図４】
2018073664.tif 000006
【図５】
2018073664.tif 000007
【図６】
2018073664.tif 000008
【図７】
2018073664.tif 000009
【図８】
2018073664.tif 000010
【図９】
2018073664.tif 000011